(57)【要約】【課題】  非適用ランプの誤装着による熱損傷の防止を図るＥ形口金用のソケットおよびこのソケットを具備する照明器具を提供する。【解決手段】  ソケット３は、ランプ４のＥ形口金１８の雄ねじ部１９が螺合する雌ねじ部２０を有する受金２１と、Ｅ形口金１８の頂上接続部２２が当接する弾性変形可能な接片２３と、受金２１および接片２３を配設している本体１７と、接片２３近傍に設けられ、温度上昇に伴って接片２３を押圧し、所定温度以上となったときに接片２３および頂上接続部２２の接続を開放して絶縁する熱変形絶縁物２４と、を具備している。【選択図】図１
2014067553.tif 000002
【特許請求の範囲】
【請求項１】
Ｅ形口金のねじ部が螺合する受金と；
前記Ｅ形口金の頂上接続部が当接する弾性変形可能な接片と；
前記受金および前記接片を配設している本体と；
前記接片近傍に設けられ、温度上昇に伴って前記接片を押圧し、所定温度以上となったときに前記接片および前記頂上接続部の接続を開放して絶縁する熱変形絶縁物と;
を具備していることを特徴とするソケット。
【請求項２】
Ｅ形口金のねじ部が螺合する受金と；
前記Ｅ形口金の頂上接続部が当接し、所定温度以上となったときに前記頂上接続部との接触から離れるように弾性変形する接片と；
前記受金および前記接片を配設している本体と；
を具備していることを特徴とするソケット。
【請求項３】
器具本体と；
この器具本体に配設された請求項１または２記載のソケットと；
このソケットに着脱されるＥ形口金を有するランプと；
を具備していることを特徴とする照明器具。
【発明の詳細な説明】
【技術分野】
【０００１】
本発明の実施形態は、Ｅ形口金を螺着するソケットおよびこのソケットを具備する照明器具に関する。
【背景技術】
【０００２】
ＬＥＤを光源とする電球形ＬＥＤランプは、既存の照明器具に白熱電球に替えて装着できるように、白熱電球と同様のＥ形口金が用いられている。Ｅ形口金は、照明器具のソケットに十分にねじ込まれることにより、電球形ＬＥＤランプに対する給電機能と固定機能の両方の役目を果たしている。
【０００３】
そして、ＬＥＤは、長寿命であるとともに、消費電力が低く、発熱量が少ないので、電球形ＬＥＤランプは、小形化が図られている。また、電球形ＬＥＤランプ専用の照明器具が開発されており、当該照明器具も小形化が図られている（例えば特許文献１参照。）。特に、電球形ＬＥＤランプ専用の照明器具は、器具本体の小形化が可能になるとともに、使用する電線類等の電流容量や構成部品における熱的グレードを下げることが可能になって、コストが低減されている。
【０００４】
しかしながら、電球形ＬＥＤランプは、白熱電球と同様のＥ形口金を用いているため、専用の照明器具に、既存の白熱電球が装着されてしまう恐れがある。白熱電球は、電球形ＬＥＤランプに比べて大きい消費電力で点灯し、流れる電流が多いので、発熱量が大きくなる。このため、器具本体の部品や電線の温度が設計温度より高くなって、それらの耐熱性に問題が生じる。そして、部品が耐熱温度を超えると、熱的損傷が発生することがある。
【０００５】
このような光源の誤使用に対して、例えば、ソケットにサーマルプロテクターを設けたものがあり、ソケットが異常温度となったときにサーマルプロテクターが開成して、光源への電源供給を停止させている（例えば特許文献２参照。）。また、光源に流れる電流を検出する電流検出回路およびこの電流検出回路が検出した電流が予め設定された上限値を超えたときに電源回路への電力供給を停止する制御回路を設けているものがある（例えば特許文献３参照。）。また、白熱電球の外観形状によっては装着ができないように構成された器具本体も知られている。
【先行技術文献】
【特許文献】
【０００６】
【特許文献１】特開２０１０−０９７８９０号公報（第８頁、第３図）
【特許文献２】特開昭６３−１５２８０７号公報（第２頁、第１図）
【特許文献３】特許第２５９４２９１号公報（第３頁、第２図）
【発明の概要】
【発明が解決しようとする課題】
【０００７】
電球形ＬＥＤランプを装着する専用の照明器具にサーマルプロテクターや電流検出回路などの保護手段を設けると、器具本体の構成が複雑化してコストアップとなり、小形化や低コスト化を狙った専用の照明器具を実現することができない。
【０００８】
また、電球形ＬＥＤランプは、近年、白熱電球に近似させた形状に構成されている。したがって、専用の照明器具に、ランプの外観形状の相違による装着規制を図ることが難しくなっており、白熱電球の誤使用を完全に防止することが困難となっている。
【０００９】
本発明の実施形態は、非適用ランプの誤装着による熱損傷の防止を図るＥ形口金用のソケットおよびこのソケットを具備する照明器具を提供することを目的とする。
【課題を解決するための手段】
【００１０】
実施形態のソケットは、受金、接片、本体および熱変形絶縁物を有して構成される。
【００１１】
受金は、ランプのＥ形口金の雄ねじ部が螺合する雌ねじ部を有する。接片は、弾性変形可能に設けられ、Ｅ形口金の頂上接続部が当接する。本体は、受金および接片を配設している。
【００１２】
そして、熱変形絶縁物は、接片近傍に設けられ、温度上昇に伴って接片に当接して接片を押圧する。そして、所定温度となったときに接片およびＥ形口金の頂上接続部の接続を開放して絶縁するものである。
【発明の効果】
【００１３】
本発明の実施形態によれば、熱変形絶縁物は、温度上昇に伴って接片を押圧し、所定温度となったときに接片およびＥ形口金の頂上接続部の接続を開放して絶縁するので、ソケットに非適合のランプが取り付けられると、そのランプの発熱によって熱変形絶縁物が所定温度以上に上昇したときに、ランプに給電させなくすることができ、これにより、ソケットおよびソケットが配設される照明器具での熱損傷を防止できることが期待できる。
【図面の簡単な説明】
【００１４】
【図１】本発明の第１の実施形態を示す照明器具の概略側断面図である。
【図２】同上、ソケットの概略側断面図である。
【図３】同上、ランプの概略側断面図である。
【図４】同上、白熱電球が装着された照明器具の概略側断面図である。
【図５】本発明の第２の実施形態を示すソケットの概略側断面図である。
【図６】同上、白熱電球が装着された照明器具の概略側断面図である。
【図７】本発明の第３の実施形態を示す照明器具の概略側断面図である。
【図８】同上、他の照明器具の概略側断面図である。
【発明を実施するための形態】
【００１５】
以下、本発明の一実施の形態について、図面を参照して説明する。まず、本発明の第１の実施形態について説明する。
【００１６】
本実施形態の照明器具１は、図１に示すように、器具本体２、ソケット３およびランプ４を有してなり、天井５に直付けされる直付け形照明器具に形成されている。ソケット３は、ソケット取付台６を介して器具本体２に取り付けられている。
【００１７】
器具本体２は、一端側２ｃに天板７、他端側２ｄに照射開口８を有してなり、一端側２ｃから他端側２ｄに連続的に拡開する円筒状に成形されている。器具本体２は、例えばアルミニウム（Ａｌ）からなり、その厚さが１〜２ｍｍであり、ソケット３に取り付けられるランプ４を内包する大きさに形成されている。そして、器具本体２には、外面２ａおよび内面２ｂに図示しない化粧用の塗膜などが形成されている。
【００１８】
ソケット取付台６は、例えば１枚の正方形の金属板を折曲して、左右両側に固定板部６ａ，６ａ、中間に平面状の取付板部６ｂを有する断面コ字形に形成されている。金属板として、鉄板やアルミニウム板などが用いられる。そして、ソケット取付台６は、その固定板部６ａ，６ａが例えば溶接により器具本体２の天板７の内面７ｂに取り付けられている。
【００１９】
そして、ソケット取付台６の取付板部６ｂに、複数個のねじ９によりソケット３が取り付けられている。ソケット３は、ソケット取付台６によって器具本体２内の所定位置に配設されている。取付板部６ｂには、ねじ９を挿通する挿通孔１０およびソケット３から導出された電源線１１ａ，１１ｂを挿通する挿通孔１２が形成されている。
【００２０】
天板７には、電源線１１ａ，１１ｂを挿通させるための挿通孔１３および木ネジ１４を通すための複数個の通孔１５が形成されている。また、天井５には、電源線１１ａ，１１ｂを引き出すための貫通孔１６が設けられている。そして、器具本体２は、通孔１５を通した木ネジ１４が天井５にねじ込まれて、天井５に取り付けられている。
【００２１】
ソケット３は、全体として円柱状に形成され、図２に示すように、円筒状であって有底の本体としてのソケット本体１７と、このソケット本体１７内に収納され、ランプ４のＥ形口金１８の雄ねじ部１９が螺合する雌ねじ部２０を有する受金２１と、口金１８の頂上接続部２２が当接して頂上接続部２２と電気接続する接片２３と、受金２１内の接片２３近傍に設けられた熱変形絶縁物２４を有して形成されている。
【００２２】
受金２１は、導電性材料例えば銅（Ｃｕ）からなり、略円筒状に形成され、その内周面２１ｂに雌ねじ部２０が形成されている。接片２３は、受金２１の奥側端面２１ｃに取り付けられた絶縁板２５に設けられている。
【００２３】
絶縁板２５は、電気絶縁性を有する合成樹脂例えばポリブチレンテレフタレート（ＰＢＴ）樹脂からなり、受金２１と同径の円盤形に形成されている。絶縁板２５は、受金２１の奥側端面２３ｃにおいて、挿通孔２６を通したねじ２７が受金２１に形成したねじ孔２８に螺着されて、受金２１に取り付けられている。
【００２４】
絶縁板２５には、接片２３を挿通する挿通孔２９が設けられている。そして、接片２３は、絶縁板２５の上面２５ａにおいて、ねじ３０により固定されている。接片２３には、ねじ３０を挿通する符号を付さない挿通孔が形成され、絶縁板２５には、ねじ３０の不図示のねじ孔が形成されている。
【００２５】
接片２３は、中間が折曲された導電性を有する金属板例えば銅板や真鍮板からなり、弾性を有するように形成されている。接片２３は、その先端部２３ａが受金２１の開口２１ｄ側に向いており、口金１８の頂上接続部２２が当接すると、弾性変形し、弾性復帰力により頂上接続部２２と接触する。接片２３の先端部２３ａは、平面に形成されており、頂上接続部２２と面接触する。また、接片２３は、その弾性変形が受金２１の雌ねじ部２０に対する口金１８の雄ねじ部１９の螺合の範囲を大きくするように設定されている。
【００２６】
本体としてのソケット本体１７は、磁器または電気絶縁性を有する合成樹脂例えばポリブチレンテレフタレート（ＰＢＴ）樹脂からなり、内部に受金２１および絶縁板２５をそれぞれ配設している。すなわち、絶縁板２５の上面２５ａに設けられた一対の支持部材３１，３１を底部３２に固定している。支持部材３１は、金属板例えば鉄板により、断面略Ｚ形に形成されており、ねじ３３により絶縁板２５の上面２５ａに固定され、皿ネジ３４により底部３２の内面３２ｂに固定されている。支持部材３１には、ねじ３３を挿通する不図示の挿通孔および皿ネジ３４を螺着する不図示のねじ孔が形成されている。これにより、受金２１および絶縁板２５は、底部３２に吊り下げられるようにして、ソケット本体１７内に設けられている。すなわち、ソケット本体１７、受金２１および絶縁板２５が一体に組みつけられている。
【００２７】
そして、ソケット本体１７の底部３２には、ソケット３をソケット取付台６に取り付けるためのねじ９のねじ孔３５が複数個形成され、電源線１１ａ，１１ｂを通すための通孔３６が形成されている。また、絶縁板２５の上面２５ａ側において、接片２３には、ねじ３０により、接続端子３７が取り付けられている。また、受金２１の外面２１ａには、ねじ３８により、接続端子３９が取り付けられている。
【００２８】
そして、接続端子３７に電源線１１ａが接続され、接続端子３９に電源線１１ｂが接続されている。これにより、接片２３および受金２１の雌ねじ部２０に電源線１１ａ，１１ｂを介して外部電源が供給可能となっている。接片２３および雌ねじ部２０は、絶縁板２５により電気絶縁されている。電源線１１ａ，１１ｂは、ランプ４の発熱量が比較的小さいので、耐熱性の低い電線例えばビニール電線を使用している。
【００２９】
熱変形絶縁物２４は、例えば熱可塑性のポリウレタン（ＰＵ）樹脂からなり、受金２１の奥側端部２１ｃの内面２１ｂおよび絶縁板２５の内面２５ｂで形成される空間に設けられ、その一部が接片２３の近傍に位置している。熱変形絶縁物２４は、温度上昇に伴って次第に膨張する。そして、膨張したときに、接片２３に当接するように、接片２３の近傍に設けられている。
【００３０】
そして、熱変形絶縁物２４は、所定温度例えば８０℃以上になると、図４に示すように、膨張による接片２３への押圧力が接片２３を絶縁板２５の下面２５ｂ側に変位させるものである。これにより、接片２３およびＥ形口金１８の頂上接続部２２の接触が開放して、接片２３および頂上接続部２２が互いに絶縁されるものである。
【００３１】
ソケット３は、上述したように形成され、ソケット本体１７がソケット取付台６に取り付けられることにより、ソケット取付台６に固定されている。そして、ソケット３にランプ４が着脱される。
【００３２】
図２において、ランプ４は、その口金１８の雄ねじ部１９がソケット３の雌ねじ部２０に螺合されている。この螺合は、少なくとも口金１８の頂上接続部２２がソケット３の接片２３に当接するまで行われている。口金１８の雄ねじ部１９は、ソケット３の雌ねじ部２０に部分的に接触して電気接続され、口金１８の頂上接続部２２は、ソケット３の接片２３に接片２３の弾性復帰力で接触されて電気接続されている。
【００３３】
ランプ４は、図３に示すように、Ｅ形の口金１８を有する電球形ＬＥＤランプであり、基台４０、取付け体４１、点灯装置４２、発光体４３よびグローブ４４を具備している。
【００３４】
基台４０は、略椀形の筐体４５およびこの筐体４５の内面４５ｂに設けられた複数個の熱伝導フィン４６を有してなり、高熱伝導率を有する金属材料例えばアルミニウム（Ａｌ）からなっている。基台４０は、例えば鋳造（アルミダイカスト）により、筐体４５および熱伝導フィン４６が一体に成形されている。筐体４５は、そのダボ４７にねじ４８により放熱板４９を取り付けている。この放熱板４９には、取付け体４１が皿ネジ５０により取り付けられている。
【００３５】
取付け体４１は、電気絶縁性を有する合成樹脂、例えばポリブチレンテレフタレート（ＰＢＴ）樹脂により、有底の略円筒状に形成されている。取付け体４１は、筐体４５の端面４５ｃに環状座５１を当接させて、皿ネジ５０により放熱板４９に取り付けられている。また、取付け体４１は、その内面４１ｂに点灯装置４２を取り付けている。
【００３６】
そして、取付け体４１は、その環状座５１よりも開口５２側の外面４１ａに凸条５３が螺旋状に形成されている。そして、凸条５３に口金１８が螺合されている。口金１８は、取付け体４１の外面４１ａにかしめられて固定されている。
【００３７】
口金１８は、例えばＥ２６形であって、先述のソケット３に接続可能なものであり、凸条５３に螺合されてかしめられて固定される雄ねじ部１９、この雄ねじ部１９の先端側１９ｃに設けられる絶縁部５４およびこの絶縁部５４の頂点に設けられる頂上接続部２２を有して構成されている。
【００３８】
雄ねじ部１９は、例えばアルミニウム（Ａｌ）からなり、底部５５を有する略円筒状に形成され、頂上接続部２２は、例えば真鍮からなり、凸条の外面２２ａを有する円柱状に形成されている。絶縁部５４は、例えばガラスまたはセラミックからなり、円錐状に形成されて、雄ねじ部１９の底部５５に接着されて取り付けられ、頂点に頂上接続部２２を設けている。
【００３９】
雄ねじ部１９および頂上接続部２２は、先述したソケット３を介して外部電源にそれぞれ電気接続される。絶縁部５４は、それぞれ金属である雄ねじ部１９および頂上接続部２２を離間して電気絶縁している。こうして、口金１８は、取付け体４１に雄ねじ部１９が取り付けられることにより、取付け体４１を介して基台４０に取り付けられている。
【００４０】
点灯装置４２は、回路基板５６およびこの回路基板５６に実装された多種類の回路部品５７を有しなり、発光体４３のＬＥＤ素子５８を点灯する点灯回路を形成している。点灯装置４２は、その入力側が口金１８の雄ねじ部１９および頂上接続部２２に図示しないリード線で接続され、その出力側が出力線５９により発光体４３に接続されている。そして、点灯装置４２は、口金１８の雄ねじ部１９および頂上接続部２２に外部電源が印加すると、その回路部品５７で形成される点灯回路が動作して、発光体４３のＬＥＤ素子５８に所定の定電流を供給してＬＥＤ素子５８を点灯（発光）する。
【００４１】
発光体４３は、放熱板４９の上面４９ａに設けられている。放熱板４９は、高熱伝導率を有する金属材料例えばアルミニウム（Ａｌ）からなり、外周側に切り欠き部６０を有する円盤状に形成されている。放熱板４９は、発光体４３を取り付ける取付板であるとともに、発光体４３に発生した熱を基台４０の筐体４５および熱伝導フィン４６に伝達させるものである。
【００４２】
発光体４３は、実装基板６１および複数個のＬＥＤ素子５８を有して形成されている。実装基板６１は、例えば厚さ１．２ｍｍの合成樹脂板例えばガラスエポキシ板からなり、外形が例えば正四角形に形成されている。ＬＥＤ素子５８は、パッケージ品であり、例えば白色光を放射するものが用いられている。複数個のＬＥＤ素子５８は、実装基板６１の一面６１ａ側に同心円状に実装され、図示しない配線パターンにより直列接続されている。そして、直列接続されたＬＥＤ素子５８は、出力線５９により、点灯装置４２に接続されている。
【００４３】
ＬＥＤ素子５８は、点灯装置４２から所定の定電流が供給されると、点灯（発光）し、白色光を放射する。この白色光は、グローブ４４を通過して外部空間に出射される。
【００４４】
グローブ４４は、筐体４５の環状壁４５ｄに発光体４３を覆うように取り付けられている。グローブ４４は、透明の合成樹脂材料例えばポリカーボネート（ＰＣ）樹脂により、外形が例えば略半球形に形成されている。そして、グローブ４４の開口端部６２は、筐体４５の環状壁４５ｄと同等の外径を有している。グローブ４４は、開口端部６２の端面６２ａが筐体４５の環状壁４５ｄの端面（上面）に密接するように、端面６２ａから延在した係止片６３の係止爪６３ａが筐体４５の環状壁４５ｄに係止している。係止片４５は、環状壁４５ｄの周方向に沿い、等間隔に複数個例えば４個が設けられている。
【００４５】
こうして構成されたランプ４は、例えば６０Ｗの白熱電球に相当する光束（照明光）を放射するように、点灯装置４２、発光体４３およびグローブ４４の透過率などが設定されている。すなわち、ランプ４は、口金１８に定格交流電源（ＡＣ１００Ｖ）が印加されて発光体４３が点灯しているときの消費電力は、１０．６Ｗであり、入力電流は、０．１８Ａとなっている。
【００４６】
なお、本実施形態のランプ４は、上記に限らず、５０Ｗの白熱電球に相当する消費電力９．４Ｗ、入力電流０．１６Ａに、４０Ｗの白熱電球に相当する消費電力７．７Ｗ、入力電流０．１４Ａに、２０Ｗの白熱電球に相当する消費電力４．５Ｗ、入力電流０．０６Ａにそれぞれ形成可能である。
【００４７】
次に、本発明の第１の実施形態の作用について述べる。
【００４８】
照明器具１において、ランプ４は、その口金１８が器具本体２に配設されているソケット３に螺合して取り付けられる。ランプ４は、電源線１１ａ，１１ｂに外部電源が投入されると点灯し、白色光を放射する。白色光は、器具本体２の照射開口８から出射し、床面側を照明する。
【００４９】
ランプ４は、点灯により、発光体４３および点灯装置４２が発熱する。発生熱は、口金１８からソケット３の受金２１に伝達され、さらにソケット本体１７に伝達される。これにより、ソケット３全体が温度上昇する。また、発生熱は、ソケット取付台６および器具本体２に伝達され、器具本体２内を温度上昇させるとともに、天井５に伝達される。
【００５０】
ここで、ランプ４は、定格消費電力が１０．６Ｗであるので、発熱量が比較的小さい。これにより、ソケット３の温度上昇は小さく、ソケット３での発熱は低いものとなる。したがって、電源線１１ａ，１１ｂおよび合成樹脂で形成された絶縁板２５が熱損傷されにくい。また、ソケット本体１７が合成樹脂で形成されていても、熱損傷されにくい。さらに、器具本体２は、合成樹脂で形成されていても熱損傷されにくいものとなり、天井５も熱損傷されにくい。
【００５１】
そして、ソケット３の温度上昇が小さいことにより、受金２１内に設けられている熱変形絶縁物２４の熱膨張は小さく、熱変形絶縁物２４がソケット３の接片２３に当接しない。ランプ４は、常時、ソケット３から給電される。
【００５２】
ランプ４は、寿命や故障などにより不点となると、交換することになる。このとき、図４に示すように、ソケット３に白熱電球６４が取り付けられることがある。これは、白熱電球６４の口金１８がランプ４と同様のＥ形口金であることによる。
【００５３】
ソケット３に、例えばランプ４と略同等の光束を放射する６０Ｗ形の白熱電球６４が装着されると、白熱電球６４は、省電力タイプの場合、５６Ｗで点灯する。すなわち、白熱電球６４は、ランプ４に比べて約５倍に発熱する。この発熱は、ソケット３を急速に温度上昇させて高温にさせる。
【００５４】
受金２１内の熱変形絶縁物２４は、ソケット３が高温になるにしたがい温度上昇して膨張する。熱変形絶縁物２４は、接片２３側の空間に膨張していく。そして、熱変形絶縁物２４は、その一部が接片２３近傍に位置しているので、膨張により接片２３に到達し、接片２３を押圧するようになる。接片２３は、熱変形絶縁物２４の押圧力に対抗する抗力（弾性復帰力）で熱変形絶縁物２４を押圧する。
【００５５】
熱変形絶縁物２４がさらに熱膨張することにより、接片２３を押圧する押圧力が大きくなり、接片２３を絶縁板２５側に押圧する。そして、熱変形絶縁物２４が所定温度例えば８０℃になったときには、接片２３が口金１８の頂上接続部２２に接触している弾性復帰力よりも、熱変形絶縁物２４が接片２３を押圧する３押圧力が上回るようになる。接片２３は、絶縁板２５側に弾性変形し、口金１８の頂上接続部２２から離れる。接片２３は、口金１８の頂上接続部２２と電気的に絶縁する。これにより、白熱電球６４は、ソケット３から給電されなくなり、消灯する。
【００５６】
白熱電球６４が消灯することにより、ソケット３はさらに温度上昇しなくなり、電源線１１ａ，１１ｂおよび絶縁板２５などが熱損傷されなくなる。また、器具本体２や天井５なども熱損傷されなくなる。すなわち、照明器具１での発煙、発火が防止される。そして、ソケット３を交換することにより、照明器具１は再使用可能となる。
【００５７】
本実施形態のソケット３によれば、熱変形絶縁物２４は、温度上昇に伴って膨張して接片２３を押圧し、所定温度となったときに接片２３およびＥ形口金１８の頂上接続部２２の接続を離して絶縁するので、ソケット３に非適合の白熱電球６４が取り付けられると、その白熱電球６４の発熱によって熱変形絶縁物２４が所定温度以上に上昇したときに、白熱電球６４に給電させなくすることができ、これにより、ソケット３およびソケット３が配設される照明器具１での熱損傷を防止できるという効果を有する。
【００５８】
また、本実施形態の照明器具１によれば、ソケット３に非適合の白熱電球６４が取り付けられ、その白熱電球６４の消費電力が大きいものであると、ソケット３において白熱電球が消灯されるので、器具本体２および器具本体２が取り付けられる天井５の熱損傷や発煙、発火を防止できるという効果を有する。
【００５９】
なお、本実施形態において、熱変形絶縁物２４は、所定温度以上になったときにソケット３の接片２３およびＥ形口金１８の頂上接続部２２の接触を開放することができるように、温度上昇に伴って接片２３を押圧するものであればよい。こごで、所定温度は、ソケット３を熱損傷させない温度に設定される。
【００６０】
また、照明器具１は、直付け形に構成したが、これに限らず、ダウンライトなどの埋め込み形や吊り下げ形の照明器具であってもよい。
【００６１】
次に、本発明の第２の実施形態について説明する。
【００６２】
本実施形態のソケット６５は、図５に示すように構成される。なお、図５において、図２と同一部分には、同一符号を付して説明は省略する。
【００６３】
ソケット６５は、図２に示すソケット３において、熱変形絶縁物２４を有しなく、接片２３に替えて接片６６が設けられたものである。接片６６は、バイメタルからなり、接片２３と同形状に形成されている。すなわち、接片６６は、中間が折曲された板状に形成され、その先端部６６ａが受金２１の開口２１ｄ側に向いており、口金１８の頂上接続部２２が当接すると、弾性変形し、弾性復帰力により頂上接続部２２と接触する。
【００６４】
そして、接片６６は、その弾性変形が受金２１の雌ねじ部２０に対する口金１８の雄ねじ部１９の螺合の範囲を大きくするように設定されている。また、接片６６は、所定温度例えば８０℃以上になると、弾性変形して、口金１８の頂上接続部２２との接触から離れるように設定されている。
【００６５】
ソケット６５は、図６に示すように、ソケット取付台６を介して器具本体２に取り付けられている。図６に示す照明器具６７は、図１に示す照明器具１において、ソケット３がソケット６５に替えられた以外、同様に構成されている。
【００６６】
ソケット６５には、不所望に非適合の白熱電球６４が取り付けられることがある。そして、例えば、ソケット６５に６０Ｗ形の白熱電球６４が装着されると、白熱電球６４は、省電力タイプの場合、５６Ｗで点灯し、ランプ４に比べて約５倍に発熱する。ソケット６５は、白熱電球６４の発熱により、急速に温度上昇し高温になる。
【００６７】
そして、接片６６が所定温度例えば８０℃になったときに、バイメタルからなる接片６６は、絶縁板２５側に弾性変形し、口金１８の頂上接続部２２から離れる。接片６６および口金１８の頂上接続部２２は、電気的に絶縁される。これにより、白熱電球６４は、ソケット６５から給電されなくなり、消灯する。
【００６８】
白熱電球６４が消灯することにより、ソケット６５はさらに温度上昇しなくなり、電源線１１ａ，１１ｂおよび絶縁板２５などが熱損傷されなくなる。また、器具本体２や天井５なども熱損傷されなくなる。すなわち、照明器具６７での熱損傷が防止される。
【００６９】
そして、ソケット６５の温度が次第に低下し、接片６６が設定温度まで低下すると、接片６６は、弾性復帰して、口金１８の頂上接続部２２に接触する。接片６６および口金１８の頂上接続部２２は、電気的に接続され、白熱電球６４は、点灯する。以下、上述を繰り返す。白熱電球６４の点消灯の繰り返しにより、ソケット６５に非適合の白熱電球６４が装着されていることが報知される。これにより、ソケット６５に適合するランプ４が取り付けられる。
【００７０】
本実施形態のソケット６５によれば、バイメタルからなる接片６６は、所定温度となったときに弾性変形して接片２３およびＥ形口金１８の頂上接続部２２の接続を離すので、ソケット６５に非適合の白熱電球６４が取り付けられると、接片６６が所定温度以上に上昇したときに、白熱電球６４に給電させなくすることができ、これにより、ソケット６５およびソケット６５が配設される照明器具６７での熱損傷を防止できるという効果を有する。
【００７１】
また、本実施形態の照明器具６７によれば、ソケット６５に非適合の白熱電球６４が取り付けられ、その白熱電球６４の消費電力が大きいものであると、ソケット６５において白熱電球が消灯されるので、器具本体２および器具本体２が取り付けられる天井５の熱損傷を防止できるという効果を有する。
【００７２】
なお、本実施形態において、接片６６は、形状記憶合金により、接片２３と同様に形成してもよい。
【００７３】
次に、本発明の第３の実施形態について説明する。
【００７４】
本実施形態の照明器具６８，７０は、それぞれ図７および図８に示すように構成される。なお、図７および図８において、図１と同一部分には、同一符号を付して説明は省略する。
【００７５】
図７に示す照明器具６８は、図１に示す照明器具１において、器具本体２の天板７と天井５との間に断熱シート６９が設けられたものである。断熱シート６９は、ゴム、フェルトや不織布などにより、円盤状に形成されている。
【００７６】
ソケット３に非適合の白熱電球６４が装着されて、ソケット３が高温になると、ソケット３からソケット取付台６を介して器具本体２の天板７に熱伝導され、天板７が高温となる。断熱シート６９は、天板７から天井５への熱伝導をしにくくさせる。これにより、天井５が熱損傷しにくくなる。
【００７７】
本実施形態の照明器具６８は、器具本体２と天井５との間に断熱シート６９を具備するので、ソケット３が高温となったときに、ソケット３からの熱によって天井５が焦げるなどの熱損傷を防止できるという効果を有する。
【００７８】
そして、図８に示す照明器具７０は、図１に示す照明器具１において、器具本体２を器具本体７１に形成したものである。器具本体７１は、器具本体２の天板７の上面７ａに複数個のリブ（凸部）７２が設けられ、これ以外、器具本体２と同様に形成されている。リブ７２は、例えば円柱に形成されている。
【００７９】
器具本体７１は、複数個のリブ７２が天井５に当接して取り付けられている。これにより、器具本体７１の天板７と天井５との間は、空気層（隙間）となっている。ソケット３に非適合の白熱電球６４が装着されて、ソケット３が高温になると、ソケット３からの熱により、天板７が高温となる。前記空気層は、天板７から天井５へ熱伝導しにくくする。これにより、天井５が熱損傷しにくくなる。
【００８０】
本実施形態の照明器具７１は、器具本体７１の天板７に設けられたリブ７２が天井５との間で空気層を形成しているので、ソケット３が高温となったときに、前記空気層が天板７から天井５への熱伝導をしにくくし、これにより、ソケット３からの熱によって天井５が焦げるなどの熱損傷を防止できるという効果を有する。
【符号の説明】
【００８１】
１、６７，６８，７０…照明器具、  ２…器具本体、  ３，６５…ソケット、  ４…ランプ、  １７…本体としてのソケット本体、  １８…Ｅ形口金、  １９…雄ねじ部、  ２０…雌ねじ部、  ２１…受台、  ２２…頂上接続部、  ２３，６６…接片、  ２４…熱変形絶縁物
【図１】
2014067553.tif 000003
【図２】
2014067553.tif 000004
【図３】
2014067553.tif 000005
【図４】
2014067553.tif 000006
【図５】
2014067553.tif 000007
【図６】
2014067553.tif 000008
【図７】
2014067553.tif 000009
【図８】
2014067553.tif 000010